(57)【要約】      （修正有）【課題】インクジェットで印字してた基礎画像シートの上にマーキング用ペンで書き消し可能な透明合成樹脂フィルム層を形成することにより、少量、多品種の製品でも採算性よく製造できる基礎画像記録済みのホワイトボードを提供する。【解決手段】ホワイトボード１の積層表示板１０は、マーキング用ペンで書き消し可能な透明合成樹脂フィルム層１１、インクジェット用印字シートの上にインクジェットプリンタで所定の画像を印字した基礎画像シート１２、鉄板層１３、合板層１４、鉄板層１５を順次積層して構成されている。また、積層表示板１０の裏面にはマグネットシート１８が取り付けられているので、このホワイトボード１を鉄製の大黒板に貼り付けて使用できる。【選択図】図３
0003124557.tif 000002
【実用新案登録請求の範囲】
【請求項１】
少なくともマーキング用ペンで書き消し可能な透明合成樹脂フィルム層、所定の画像をインクジェット用印字シート上にインクジェットプリンタで印字した基礎画像シートおよび鉄板層を含む積層表示板の裏面にマグネットシートを取り付けたことを特徴とする基礎情報記録済みのホワイトボード。
【請求項２】
上記画像は顔料インクによって印字されていることを特徴とする請求項１に記載の基礎情報記録済みのホワイトボード。
【請求項３】
上記透明合成樹脂フィルム層はフッ素系またはシリコン系の表面処理層を有することを特徴とする請求項１に記載の基礎情報記録済みのホワイトボード。
【請求項４】
上記積層表示板の周囲に弾性材よりなる保護枠を設けたことを特徴とする請求項１に記載の基礎情報記録済みのホワイトボード。
【請求項５】
所定の画像をインクジェットプリンターで印字したインクジェット印刷用フィルム層上に保護フィルム層を積層した積層表示板の裏面にマグネットシートを接合してなることを特徴する基礎情報記録済みのホワイトボード用の補助表示板。
【請求項６】
上記インクジェット印刷用フィルム層および保護フィルム層の素材として透明フィルムを用いることを特徴する基礎情報記録済みのホワイトボード用の補助表示板。
【請求項７】
上記インクジェット印刷用フィルム層の素材として白色フィルムを用いることを特徴する基礎情報記録済みのホワイトボード用の補助表示板。
【考案の詳細な説明】
【技術分野】
【０００１】
本考案は、国語・算数・理科用の教材、音楽用の五線符、英語用の４線符、日本地図、世界地図、行事予定表等の予め印刷された基礎情報が記載されているホワイトボードおよび予めホワイトボードに記録されている基礎情報に関連して説明を容易にするために使用する補助表示板に関する。
【背景技術】
【０００２】
国語・算数・理科用の教材、音楽用の五線符、英語用の４線符、地図、行事予定表等の予め印刷された基礎情報が記載されているホワイトボードはその目的や用途に応じて多種、多様の様式のものが提案されている。
【０００３】
この種のホワイトボードは通常、基礎情報が印刷された用紙をボードに貼り付け、その表面にマーキング用ペン（マーカー）で記載しても消去可能なホワイトボード用の透明なフィルムを積層して構成されている。ホワイトボード用の透明フィルム層は通常、ポリエステルフィルムの表面に透明なフッ素系樹脂またはシリコン系樹脂を積層したものが用いられる。
【考案の開示】
【考案が解決しようとする課題】
【０００４】
上記のような予め基礎情報が記載されているホワイトボードはその目的や用途に応じて多種多様なものが生産されているが、現場のニーズに応じて内容の変更がしばしば行われ、その都度、基礎情報の印刷をやり直さなければならず、製造コストが嵩み採算性が良くないという欠点があった。
【０００５】
本考案は、少量多品目の製品でも、基礎情報の修正や変更が容易に行うことができると共にカラー画像でも容易に取り込みができる基礎情報記録済みのホワイトボードを安価に提供することを第１の目的とする。
【０００６】
本考案は、教育現場やプレゼンテーション等において、必要に応じて大黒板に簡単に貼り着けて使用することのできる基礎情報記録済みのホワイトボードを提供することを第２の目的とする。
【０００７】
本考案は、マグネットによってホワイトボードに貼着可能な補助表示板を備えることによって表示説明効果を増大できる基礎情報記録済みのホワイトボードを提供することを第３の目的とする。
【課題を解決するための手段】
【０００８】
本考案の基礎情報記録済みのホワイトボードは、少なくともマーキング用ペンで書き消し可能な透明合成樹脂フィルム層、所定の画像をインクジェット用印字シート上にインクジェットプリンタで顔料インクを使用して印字した基礎画像シートおよび鉄板層を含む積層表示板の裏面にマグネットシートを取り付けたことを特徴とする。
【０００９】
上記透明合成樹脂フィルム層はポリエステル樹脂フィルムの上にフッ素系またはシリコン系の表面処理層を積層して構成されているので、マーキング用ペンで書き消し可能な表示層として利用できる。
【００１０】
ホワイトボードの積層表示板の周囲には弾性材よりなる保護枠を設けたので、ホワイトボードを落とした場合等の衝撃を吸収し破損を防止すると共に、ホワイトボードの角で指などを傷つけることを防止する。
【００１１】
このホワイトボードには所定の画像をインクジェットプリンターで印字したインクジェット印刷用フィルム上に透明保護フィルムを積層した積層表示板の裏面にマグネットシートを接合してなる補助表示板を付属品として備えているので、この補助表示板にホワイトボードに記載されている基礎情報の画像や文字と組み合わせることによって基礎情報の理解度を深めることのできる画像や文字を予め記載しておき、この補助表示板をホワイトボードの基礎情報に関連付けて貼り付け使用することにより授業効果やプレゼンテーションの効果を高めることができる。
【００１２】
この補助表示板のインクジェット印刷用フィルムとして透明フィルム素材を使用する場合は、ホワイトボード上の画像と補助表示板の画像とを重複して表示することができ、白色フィルム素材を使用する場合は、ホワイトボード上の画像の一部を補助表示板の画像で置き換えて表示することができる。
【考案の効果】
【００１３】
（１）本考案の基礎情報記録済みのホワイトボードは、インクジェット用印字シートの上にインクジェットプリンタを用いて画像が印字されているので、少量多種目の製品でも、迅速に採算性が良く製造することができる。
【００１４】
（２）本考案の基礎情報記録済みのホワイトボードは、インクジェット用印字シートの上にインクジェットプリンタを用いて顔料インクによって画像が印字されているので、鮮明なカラー画像が得られると共に耐光性があり色あせしにくく長期間使用可能である。
【００１５】
（３）本考案の基礎情報記録済みのホワイトボードは、透明合成樹脂フィルム層の表面にフッ素系またはシリコン系の表面処理層が設けられているので、マーキング用ペンで書き消し可能な表示板として利用できる。
【００１６】
（４）本考案の基礎情報記録済みのホワイトボードは、積層表示板の裏面にマグネットシートを取り付けてあるので、このホワイトボードを金属製の大黒板に張り付けて使用することができ、教育現場やプレゼンテーション等において、便利に使用できる。
【００１７】
（５）本考案の基礎情報記録済みのホワイトボードは、積層表示板の周囲に弾性材よりなる保護枠が設けられているので、ホワイトボードの破損を防止し、安全に使用できる。
【００１８】
（６）本考案の基礎情報記録済みのホワイトボードは、所定の画像をインクジェットプリンターで印字したインクジェット印刷用フィルム上に透明保護フィルムを積層した積層表示板の裏面にマグネットシートを接合してなる補助表示板を備えているので、この補助表示板をホワイトボードの任意の箇所に貼り付けてホワイトボードに記載されている基礎情報の画像や文字と組み合わせて使用することにより、教授内容やプレゼンテーションの内容を分かりやすく説明することができる。
【考案を実施するための最良の形態】
【００１９】
本考案の最良の実施形態を次の実施例によって説明する。
【実施例１】
【００２０】
図１Ａは本考案の基礎情報記録済みのホワイトボード１の正面図、図２Ａは同裏面図を示す。ホワイトボード１の積層表示板１０は、図３に示すように、マーキング用ペンで書き消し可能な透明合成樹脂フィルム層１１、インクジェット用印字シートの上にインクジェットプリンタで所定の画像１９を印字した基礎画像シート１２、鉄板層１３、合板層１４、鉄板層１５を順次積層して構成されている。
【００２１】
積層表示板１０の裏面の上下には２本のマグネットシート１８、１８がポリウレタンのスポンジ体よりなる緩衝層１７を介してそれぞれ取り付けられている。また、積層表示板１０の周囲には硬質ゴム製の保護枠１６がはめ込まれている。
【００２２】
画像１９は顔料インクによって印字されている。ホワイトボード１の透明合成樹脂フィルム層１１はポリエステル樹脂フィルムの表面にフッ素系またはシリコン系の表面処理層が設けられているのでマーキング用ペンで書き込んだり、又その書き込みをイレーザーで消去することができる。
【００２３】
図１Ｂはこのホワイトボード１の上に貼り付けて使用する補助表示板２の正面図、図２Ｂは同補助表示板の裏面図である。補助表示板２の透明表示板２０は、図４に示すように、任意の画像２９をインクジェットプリンターで印字したインクジェット印刷用透明フィルム層２２上にポリプロピレン等の透明保護フィルム層２１を積層して構成されている。
【００２４】
この透明表示板２０の裏面には上記画像２９の邪魔にならない位置にマグネットシート２３、２３が接合されている。
【００２５】
上記の補助表示板２のインクジェット印刷用透明フィルム２２の代わりにインクジェット印刷用白色フィルムを使用すれば、不透明な白色補助表示板を構成することができる。
【００２６】
図５によって、本考案の基礎情報記録済みのホワイトボードと透明な補助表示板を併用した場合の使用例について説明する。
図５Ａは人間の内臓を図解したカラー画像を予めインクジェットプリンタで印字した基礎画像シートの上にマーキング用ペンで書き消し可能な透明樹脂フィルム層等を積層して構成したホワイトボード、図５Ｂは人体の血液の流れを図解したカラー画像を予めインクジェットプリンターで印字したインクジェット印刷用透明フィルム上に透明保護フィルムを積層した透明補助表示板である。ホワイトボードＡには裏面に鉄板が積層され、補助表示板Ｂの裏面にはマグネットシートが貼り付けられているので、補助表示板ＢをホワイトボードＡの上にマグネットの力によって貼り付けると図５Ａ＋Ｂに示すように内蔵と血液の流れが重なって、人間の体の仕組みを分かりやすく説明することができる。
【００２７】
補助表示板として色の異なる２枚の透明補助表示板を使用して重ねてホワイトボードに貼り付ければ合成色を表示することができる。例えば、赤色の透明補助表示板と青色の透明補助表示板を重ねれば紫色を表示することができる。
この使用例としては、分数の計算を説明する場合に、正方形の基礎表示画像の上にその１／２の面積の赤色の透明補助表示板を横向きに貼り付け、更に１／３の面積の青色の透明補助表示板を縦向きに貼り付ければ、両補助表示板の重なった部分は紫色になり、この紫色の面積が１／２×１／３＝１／６となることを理解させる。
【００２８】
図６および図７によって、本考案の基礎情報記録済みのホワイトボードと不透明な白色補助表示板を併用した場合の使用例について説明する。
図６Ａはアサガオの花の断面図、カボチャの花の雌花と雄花の断面図をそれぞれ図解したカラー画像を予めインクジェットプリンタで印字した基礎画像シートの上にマーキング用ペンで書き消し可能な透明樹脂フィルム層等を積層して構成したホワイトボード、図６Ｂはアサガオの花の下半分の外観図、図６Ｃはカボチャの雄花の下半分の外観図、図６Ｄはカボチャの雌花の下半分の外観図、図６Ｅは蜂、図６Ｆは蝶々、図６Ｇは蜂、図６Ｈは蝶々を図解したカラー画像をそれぞれ予めインクジェットプリンターで印字したインクジェット印刷用白色フィルム上に透明保護フィルムを積層して構成した不透明な白色補助表示板である。
【００２９】
ホワイトボードＡには裏面に鉄板が積層され、補助表示板Ｂ〜Ｈの裏面にはそれぞれマグネットシートが貼り付けられているので、補助表示板Ｂ〜ＨをホワイトボードＡの上にマグネットの力によって貼り付けると図７に示すように花と昆虫の関係を示した画像が構成される。そこで、補助表示板Ｂ〜Ｈを適宜取り除きながら、昆虫による受粉の状態を分かりやすく説明するのに用いることができる。
【図面の簡単な説明】
【００３０】
【図１】本考案の基礎情報記録済みのホワイトボードおよび補助表示板の正面図。
【図２】図１の裏面図。
【図３】図１のａ−ａ線による断面図。
【図４】図１のｂ−ｂ線による断面図。
【図５】本考案の基礎情報記録済みのホワイトボードと透明補助表示板とを組み合わせて使用した場合の説明図。
【図６】本考案の基礎情報記録済みのホワイトボードと白色補助表示板の具体例を示す正面図。
【図７】本考案の基礎情報記録済みのホワイトボードと白色補助表示板とを組み合わせて使用した場合の説明図。
【符号の説明】
【００３１】
１  基礎情報記録済みのホワイトボード
２  補助表示板
１０  積層表示板
１１  透明合成樹脂フィルム層
１２  基礎画像シート層
１３  鉄板
１８  マグネットシート
２０  透明表示板
２１  透明保護フィルム層
２２  インクジェット印刷用透明フィルム層
２３  マグネットシート
【図１】
0003124557.tif 000003
【図２】
0003124557.tif 000004
【図３】
0003124557.tif 000005
【図４】
0003124557.tif 000006
【図５】
0003124557.tif 000007
【図６】
0003124557.tif 000008
【図７】
0003124557.tif 000009
【手続補正書】
【提出日】平成18年6月6日(2006.6.6)
【手続補正１】
【補正対象書類名】実用新案登録請求の範囲
【補正対象項目名】請求項５
【補正方法】変更
【補正の内容】
【請求項５】
所定の画像をインクジェットプリンターで印字したインクジェット印刷用フィルム層上に保護フィルム層を積層した積層表示板の裏面にマグネットシートを接合してなることを特徴とする基礎情報記録済みのホワイトボード用の補助表示板。
【手続補正２】
【補正対象書類名】実用新案登録請求の範囲
【補正対象項目名】請求項６
【補正方法】変更
【補正の内容】
【請求項６】
上記インクジェット印刷用フィルム層および保護フィルム層の素材として透明フィルムを用いることを特徴とする請求項５に記載の基礎情報記録済みのホワイトボード用の補助表示板。
【手続補正３】
【補正対象書類名】実用新案登録請求の範囲
【補正対象項目名】請求項７
【補正方法】変更
【補正の内容】
【請求項７】
上記インクジェット印刷用フィルム層の素材として白色フィルムを用いることを特徴とする請求項５に記載の基礎情報記録済みのホワイトボード用の補助表示板。